(57)【特許請求の範囲】
【請求項１】
便器の内底部に開口形成される排液管路を通じて、その排液管路の下流側にあるトラップ部又は排水管を清掃する便器清掃用具において、
便器の内底部から管路方向へ内周断面が漸減するテーパ管状の排液管路に対し、便器の内底部側からそのテーパ管状の排液管路内へ挿入可能であって前記テーパ管状の排液管路の管路方向中間部における内周断面の形状に適合した外周断面を有する先端部と、その先端部から基端部まで連通して内周部に形成される注水路とを有した管状に形成され、前記テーパ管状の排液管路内に前記先端部が所定長さ挿入されかつ密嵌された状態で前記先端部から前記注水路を通じて供給される高圧水を前記テーパ管状の排液管路内へ噴出する注水パイプと、
その注水パイプの先端部を前記テーパ管状の排液管路内に挿入した状態で、その注水パイプをその挿入方向へ押圧するために把持される把持ハンドルとを備える便器清掃用具であって、
前記高圧水は、前記注水パイプの先端部から前記テーパ管状の排液管路を経てその挿入方向へ噴出され、この高圧水の噴出流によって、便器のトラップ部又はその先の排水管内の汚れの清掃及び詰り物の解消し、
前記注水パイプの先端部は前記テーパ管状の排液管路の管路方向中間部にて密嵌されるので、前記高圧水が前記テーパ管状の排液管路内から便器の内底部へ逆流することが抑制され、
前記高圧水を噴出後に前記便器清掃用具を持ち上げることで、前記注水パイプの先端部を前記テーパ管状の排液管路から抜脱することができることを特徴とする便器清掃用具。
【請求項２】
前記把持ハンドルは、前記注水パイプの基端部に連結固定され、当該連結固定部分から横方向両側にそれぞれ延設され、その各延設部分の外周が把持可能となっているハンドル本体を備えていることを特徴とする請求項１記載の便器清掃用具。
【請求項３】
前記把持ハンドルは、管状体をした前記ハンドル本体と、そのハンドル本体の一端部を閉塞した閉塞端部と、そのハンドル本体の他端部に設けられ給水ホースが接続されるホース接続部と、そのホース接続部を介して前記注水路及び給水ホースを連通接続するために前記ハンドル本体の内周部に形成される給水路と、その給水路内に配設されその給水路を開閉する開閉弁と、その開閉弁の開閉を操作するため前記ハンドル本体に配設される弁操作部とを備えていることを特徴とする請求項２に記載の便器清掃用具。
【請求項４】
便器の内底部に開口形成される排液管路を通じて、その排液管路の下流側にあるトラップ部又は排水管を清掃する便器清掃方法において、
便器の内底部から管路方向へ内周断面が漸減するテーパ管状の排液管路に対し、そのテーパ管状の排液管路の管路方向中間部における内周断面の形状に適合した外周断面を有する管状をした便器清掃用具の注水パイプの先端部を、便器の内底部側から前記テーパ管状の排液管路内へ挿入し、前記注水パイプの先端部の外周縁を前記テーパ管状の排液管路の内周面に合致密嵌させ、前記注水パイプの先端部を前記テーパ管状の排液管路内に挿入した状態でその挿入方向へ押圧した状態で、前記注水パイプ内を通じて前記注水パイプの先端部から高圧水を前記テーパ管状の排液管路へ噴出して、便器のトラップ部又はその先の排水管内の汚れの清掃及び詰り物の解消し、前記高圧水を噴出後に前記便器清掃用具を持ち上げることで、前記注水パイプの先端部を前記テーパ管状の排液管路から抜脱することを特徴とする便器清掃方法。
【請求項５】
請求項１から３のいずれかに記載の便器清掃用具を用いるものであることを特徴とする請求項４記載の便器清掃方法。
【請求項６】
便器の内底部に開口形成される排液管路を通じて、その排液管路の下流側にあるトラップ部又は排水管へ、清掃用の高圧水を供給するために用いられる便器清掃構造において、
便器の内底部に開口形成され当該内底部から管路方向へ内周断面が漸減するテーパ管状の排液管路を備え、
そのテーパ管状の排液経路は、前記排液管路の管路方向中間部における内周断面の形状に適合した外周断面を有する便器清掃用具の注水パイプの先端部が、便器の内底部側から前記テーパ管状の排液管路内へ挿脱可能に挿入されることで、前記テーパ管状の排液管路内に前記先端部が密嵌されることが可能となっており、前記先端部から基端部まで連通して内周部に形成される注水路を有し管状に形成される便器清掃用具の注水パイプを通して、前記注水パイプの先端部から高圧水が噴出され、便器のトラップ部又はその先の排水管内の汚れの清掃及び詰り物の解消し、前記高圧水を噴出後に前記便器清掃用具を持ち上げることで、前記注水パイプの先端部を前記テーパ管状の排液管路から抜脱することが可能となっていることを特徴とする便器清掃構造。
【請求項７】
請求項１から３のいずれかに記載の便器清掃用具を用いるものであることを特徴とする請求項６記載の便器清掃構造。
【発明の詳細な説明】
【技術分野】
【０００１】
本発明は、便器の内底部に開口形成される排液管路を通じて、その排液管路の下流側にあるトラップ部又は排水管を清掃する便器清掃用具、便器清掃方法及び便器清掃構造に関するものである。
【背景技術】
【０００２】
従来より、便器の清掃用具や洗浄装置に関しては種々のものが提案されており、例えば、下記特許文献１に記載される高圧洗浄装置が提案されている。この洗浄装置は、洗浄ノズルを便器用の汚物タンク等の槽に設けられるノズル挿入口へ挿入し、この洗浄ノズルから噴射される高圧洗浄水によって当該槽内部を洗浄するものである。
【０００３】
そして、この高圧洗浄装置には、洗浄ノズルが先端に設けられた洗浄水供給パイプ本体の周囲に閉塞部材が設けられており、この閉塞部材によって高圧洗浄の際、槽内部の汚物が槽外部へ跳ね返ることや、逆流噴出することを防止している。
【先行技術文献】
【特許文献】
【０００４】
【特許文献１】特開平１０−２４９２８８号公報
【発明の概要】
【発明が解決しようとする課題】
【０００５】
ここで、上記した高圧洗浄装置では、その閉塞部材によってノズル挿入口を閉塞しながらも、かかる閉塞部材に通気用の流路が確保されるようになっており、かかる通気用流路を介して、洗浄中でも槽内部の圧抜きが行えるようになっている。
【０００６】
ここで、少量の洗浄水が洗浄ノズルから槽内部へ噴出される程度であれば、上記した通気用流路を介して圧抜きを行いながらでも、閉塞部材を介して高圧水の逆流を充分に防止できるであろうと考えられる。
【０００７】
しかしながら、少量の洗浄水では、例えば、小便器のようにトラップ部や排水管内に発生する汚れやソフトスケール等の詰り物を除去することは到底なし得ず、特に、トラップ部や排水管の詰りの大きな原因となるソフトスケールを除去することができないという問題点があった。
【０００８】
とは言え、洗浄水の流量を増加すると、大量の高圧水がトラップ部や排水管からソフトスケール等の詰り物や汚物とともに逆流し易くもなり、かかる場合、通気用流路の確保を前提とした閉塞部材では、これらの逆流を抑制しきれないという問題点があった。
【０００９】
本発明は、上述した問題点を解決するためになされたものであり、便器の内底部に開口形成される排液管路を通じて、その排液管路の下流側にあるトラップ部又は排水管を清掃するための便器清掃用具、便器清掃方法及び便器清掃構造を提供することを目的としている。
【課題を解決するための手段】
【００１０】
この目的を達成するために請求項１の便器清掃用具は、便器の内底部に開口形成される排液管路を通じて、その排液管路の下流側にあるトラップ部又は排水管を清掃する便器清掃用具において、便器の内底部から管路方向へ内周断面が漸減するテーパ管状の排液管路に対し、便器の内底部側からそのテーパ管状の排液管路内へ挿入可能であって前記テーパ管状の排液管路の管路方向中間部における内周断面の形状に適合した外周断面を有する先端部と、その先端部から基端部まで連通して内周部に形成される注水路とを有した管状に形成され、前記テーパ管状の排液管路内に前記先端部が所定長さ挿入されかつ密嵌された状態で前記先端部から前記注水路を通じて供給される高圧水を前記テーパ管状の排液管路内へ噴出する注水パイプと、その注水パイプの先端部を前記テーパ管状の排液管路内に挿入した状態で、その注水パイプをその挿入方向へ押圧するために把持される把持ハンドルとを備える便器清掃用具であって、前記高圧水は、前記注水パイプの先端部から前記テーパ管状の排液管路を経てその挿入方向へ噴出され、この高圧水の噴出流によって、便器のトラップ部又はその先の排水管内の汚れの清掃及び詰り物の解消し、前記注水パイプの先端部は前記テーパ管状の排液管路の管路方向中間部にて密嵌されるので、前記高圧水が前記テーパ管状の排液管路内から便器の内底部へ逆流することが抑制され、前記高圧水を噴出後に前記便器清掃用具を持ち上げることで、前記注水パイプの先端部を前記テーパ管状の排液管路から抜脱することができる。
【００１１】
請求項２の便器清掃用具は、請求項１の便器清掃用具において、前記把持ハンドルは、前記注水パイプの基端部に連結固定され、当該連結固定部分から横方向両側にそれぞれ延設され、その各延設部分の外周が把持可能となっているハンドル本体を備えている。
【００１２】
請求項３の便器清掃用具は、請求項２の便器清掃用具において、前記把持ハンドルは、管状体をした前記ハンドル本体と、そのハンドル本体の一端部を閉塞した閉塞端部と、そのハンドル本体の他端部に設けられ給水ホースが接続されるホース接続部と、そのホース接続部を介して前記注水路及び給水ホースを連通接続するために前記ハンドル本体の内周部に形成される給水路と、その給水路内に配設されその給水路を開閉する開閉弁と、その開閉弁の開閉を操作するため前記ハンドル本体に配設される弁操作部とを備えている。
【００１３】
請求項４の便器清掃方法によれば、便器の内底部に開口形成される排液管路を通じて、その排液管路の下流側にあるトラップ部又は排水管を清掃する便器清掃方法において、便器の内底部から管路方向へ内周断面が漸減するテーパ管状の排液管路に対し、そのテーパ管状の排液管路の管路方向中間部における内周断面の形状に適合した外周断面を有する管状をした便器清掃用具の注水パイプの先端部を、便器の内底部側から前記テーパ管状の排液管路内へ挿入し、前記注水パイプの先端部の外周縁を前記テーパ管状の排液管路の内周面に合致密嵌させ、前記注水パイプの先端部を前記テーパ管状の排液管路内に挿入した状態でその挿入方向へ押圧した状態で、前記注水パイプ内を通じて前記注水パイプの先端部から高圧水を前記テーパ管状の排液管路へ噴出して、便器のトラップ部又はその先の排水管内の汚れの清掃及び詰り物の解消し、前記高圧水を噴出後に前記便器清掃用具を持ち上げることで、前記注水パイプの先端部を前記テーパ管状の排液管路から抜脱する。
【００１４】
請求項５の便器清掃方法は、請求項４の便器清掃方法において、請求項１から３のいずれかの便器清掃用具を用いるものである。
【００１５】
請求項６の便器清掃構造は、便器の内底部に開口形成される排液管路を通じて、その排液管路の下流側にあるトラップ部又は排水管へ、清掃用の高圧水を供給するために用いられる便器清掃構造において、便器の内底部に開口形成され当該内底部から管路方向へ内周断面が漸減するテーパ管状の排液管路を備え、そのテーパ管状の排液経路は、前記排液管路の管路方向中間部における内周断面の形状に適合した外周断面を有する便器清掃用具の注水パイプの先端部が、便器の内底部側から前記テーパ管状の排液管路内へ挿脱可能に挿入されることで、前記テーパ管状の排液管路内に前記先端部が密嵌されることが可能となっており、前記先端部から基端部まで連通して内周部に形成される注水路を有し管状に形成される便器清掃用具の注水パイプを通して、前記注水パイプの先端部から高圧水が噴出され、便器のトラップ部又はその先の排水管内の汚れの清掃及び詰り物の解消し、前記高圧水を噴出後に前記便器清掃用具を持ち上げることで、前記注水パイプの先端部を前記テーパ管状の排液管路から抜脱することが可能となっている。
【００１６】
請求項７の便器清掃構造は、請求項６の便器清掃構造において、請求項１から３のいずれかの便器清掃用具を用いるものである。
【００１７】
本発明に係る請求項１から３のいずれかの便器清掃用具、請求項４若しくは５の便器清掃方法、又は、請求項６若しくは７の便器清掃構造によれば、注水パイプの先端部が、便器の内底部側から排液管路内へ挿入される。すると、注水パイプの先端部がテーパ管状の排液管路の管路方向中間部で引っ掛かる。このとき、注水パイプの先端部の外周断面と排液管路の内周断面との形状が適合しているため、注水パイプの先端部の外周縁が排液管路の内周面に合致して、注水パイプの先端部が排液管路内に密嵌される。
【００１８】
この密嵌状態のままで、注水パイプ内の注水路を通じて高圧水が供給されると、高圧水は、注水パイプの先端部から排液管路を経てその挿入方向へ噴出される。この高圧水の噴出流によって、トラップ部又はその先の排水管内の汚れやソフトスケール等の詰り物が押し流されて解消される。このとき、注水パイプの先端部はテーパ管状の排液管路の管路方向中間部にて密嵌されるので、高圧水が排液管路内から便器の内底部へ逆流することが抑制される。しかも、注水パイプは、排液管路内に挿入されたまま状態でその挿入方向へ押圧される。
【００１９】
すると、この押圧によって、注水パイプの先端部の外周縁が排液管路の内周面に圧接されるので、高圧水は、注水パイプと排液管路との間の隙間から便器の内底部側へ更に逆流し難くなる。このように、本発明の便器清掃用具、便器清掃方法又は便器清掃構造によれば、注水パイプの先端部を便器の内底部側から排液管路内へ挿入して、その注水パイプを挿入押圧（押入）するだけで、高圧水の逆流を抑制しながら、極めて簡易に便器のトラップ部又はその先の排水管内の汚れやソフトスケール等の詰り物の解消や清掃を行える。
【００２０】
しかも、注水パイプの先端部が挿入密嵌される排液管路は、便器の内底部から管路方向へ内周断面が漸減するテーパ管状となっているので、注水パイプの先端部の挿入や抜脱を円滑かつ容易に行える。
【００２１】
特に、請求項１の便器清掃用具によれば、把持ハンドルを介して、注水パイプが排液管路内に挿入されたまま状態でその挿入方向へ押圧することができ、注水パイプに効率的に押圧力を加えることができる。
【００２２】
また、請求項２の便器清掃用具によれば、請求項１の便器清掃用具と同様に作用する上、把持ハンドルは、注水パイプの基端部に連結固定されるハンドル本体を備えるので、かかるハンドル本体を横方向両側にある延設部分の外周を両手で把持することができ、清掃者等が両手で注水パイプを排液管路内へ挿入押圧（押入）することができる。このため、先端部から噴出する高圧水の反動が大きくても、両手で安定した状態で注水パイプの挿入状態を維持できる。
【００２３】
また、請求項３の便器清掃用具によれば、請求項１又は２の便器清掃用具と同様に作用する上、ハンドル本体の内周部に給水路が形成されているので、このハンドル本体にホース接続部を介して給水ホースが接続されることで、給水路を介して注水パイプの注水路へ高圧水を供給することができる。
【００２４】
しかも、ハンドル本体に給水路を開閉する開閉弁を設け、その開閉弁に近接してそれを開閉するための弁操作部もハンドル本体に設けられる。このため、注水パイプを排液管路内に挿入した状態でハンドル本体を両手で把持した格好のままでも、弁操作部を手元で操作して開閉弁の開閉を行うことができ、その結果、他人の手を煩わすことなく清掃者等が一人で簡易に便器の清掃作業を行える。
【００２５】
ときに、開閉弁及び弁操作部は、その開閉弁の開度を弁操作部の操作により調節可能なものであっても良い。さすれば、清掃者等は、ハンドル本体を把持した状態のまま、その手元で高圧水の水量を調整することもできることとなる。
【００２６】
なお、請求項５の便器清掃方法は、請求項４の便器清掃方法と同様に作用するうえ請求項１から３のいずれかの便器清掃用具とも同様に作用するものであり、請求項７の便器清掃構造は、請求項６の便器清掃構造と同様に作用するうえ請求項１から３のいずれかの便器清掃用具とも同様に作用するものである。
【発明の効果】
【００２７】
本発明の便器清掃用具、便器清掃方法又は便器清掃構造によれば、注水パイプの先端部を便器の内底部側から排液管路内へ挿入押圧（押入）するだけで、排液管路内へ噴出される高圧水の逆流を簡単に抑制することができ、かかる逆流を抑制しつつ、注水パイプの先端部から噴出される高圧水によりトラップ部又はその先にある排水管の清掃や詰り物の解消が行えるという効果がある。
【図面の簡単な説明】
【００２８】
【図１】本発明の一実施例である清掃具の正面図である。
【図２】小便器清掃構造を示した縦断面図である。
【図３】図２のＩＩＩ−ＩＩＩ線における横断面図である。
【図４】第２実施例の清掃具を用いた小便器清掃構造を示した縦断面図である。
【図５】第３実施例の清掃具を用いた小便器清掃構造を示した縦断面図である。
【発明を実施するための形態】
【００２９】
以下、本発明の好ましい実施の形態について、添付図面を参照して説明する。図１は、本発明の一実施例である清掃具１の正面図である。
【００３０】
本実施例の清掃具１は、小便器５０の内底部となる便器内底５１に開口形成される排液管路５２を通じて、その排液管路５２に連通するトラップ部５３、又は、当該トラップ部５３に連通される排水管５４を清掃するものである。図１に示すように、清掃具１は、主に、注水パイプ２と、把持ハンドル３とを備えている。
【００３１】
注水パイプ２は、正面視直線状の形状を有した円筒管状の樹脂製パイプで形成されており、その内周部が先端部４（図１下側）から基端部５（図１上側）まで連通した注水路６となっている。例えば、この注水パイプ２の素材としては、硬質塩化ビニル製の円形パイプが用いられる。そして、この注水パイプ２の基端部５には、把持ハンドル３が連結固定されている。
【００３２】
把持ハンドル３は、清掃者等の使用者により把持されるハンドル本体部７と、そのハンドル本体部７の横方向（軸方向）中央部から垂設されて注水パイプ２の基端部５が接続固定されるハンドル接続部８とを備えている。この把持ハンドル３は、その本体部７及び接続部８が互いに連設されて正面視Ｔ字状に形成された管状体であり、これらの本体部７及び接続部８の内周部が互いに連通した空間となっている。
【００３３】
この把持ハンドル３は、そのハンドル接続部８に対し、注水パイプ２の基端部５が同軸状に連結固定されており、この連結固定によって、ハンドル本体部７が注水パイプ２に対して正面視Ｔ字状に連結固定された形態となっている。このため、把持ハンドル３のハンドル本体部７は、注水パイプ２の基端部５との連結固定部分から横方向両側にそれぞれ延設され、この各延設部分７ａの外周が手で把持可能となっている。
【００３４】
また、この把持ハンドル３は、その一部が硬質塩化ビニル等の樹脂材料で形成されたＴ字継手９で形成されており、このＴ字継手９には、ハンドル本体部７の一部を成す横管部９ａと、ハンドル接続部８を成す縦管部９ｂとが、正面視Ｔ字状に連結されている。そして、ハンドル本体部７は、このＴ字継手９の横管部９ａと、ボールバルブ１０と、ワンタッチ継手１１とが順に横方向に連結接続されることで形成されている。
【００３５】
ここで、把持ハンドル３のハンドル本体部７は、その軸方向一端部（図１右側）となるＴ字継手９の横管部９ａの右端部が閉塞されることで閉塞端部１２となっており、その軸方向他端部（図１左側）にワンタッチ継手１１のソケット１１ａが接続固定されている。このワンタッチ継手１１は、プラグ１１ｂがソケット１１ａに対して着脱自在に内嵌されることにより係合接続される継手である。
【００３６】
なお、当該ワンタッチ継手１１のプラグ１１ｂは、高圧水を水源から供給する給水ホース１３の端部に接続固定されている。
【００３７】
ボールバルブ１０は、ワンタッチ継手１１のソケット１１ａとＴ字継手９の横管部９ａの左端部との間に介設されている。ここで、ボールバルブ１０は、Ｔ字継手９の内周部とワンタッチ継手１１の内周部とを連通接続させる内部流路（図示せず。）と、その内部流路を開閉するボール状の弁体（図示せず。）と、その弁体を回動させて内部流路の開度調節を行うために手動操作される操作レバー１０ａとを備えている。
【００３８】
このボールバルブ１０によれば、操作レバー１０ａがハンドル本体部７を把持した手で操作されることによって、内部流路内で弁体が回動されて、その内部流路の開度が調節され、内部流路の開閉及び高圧水の流量調節が行われる。
【００３９】
ここで、ハンドル本体部７には、そのＴ字継手９の横管部９ａの内周部と、ボールバルブ１０の内部流路と、ワンタッチ継手１１の内周部とが横方向に連通することで、注水パイプ２の注水路６へ高圧水を供給する給水路１４が形成されており、この給水路１４が把持ハンドル３のハンドル接続部８（Ｔ字継手９の縦管部９ｂ）を介して注水パイプ２の注水路６と連通されている。
【００４０】
次に、図２及び図３を参照して、注水パイプ２の先端部４と小便器５０の排液管路５２との接続構造（以下「小便器清掃構造」という。）１００について説明する。図２は、小便器清掃構造１００を示した縦断面図であり、図３は、図２のＩＩＩ−ＩＩＩ線における横断面図である。
【００４１】
図２に示すように、小便器５０は、その便器内底５１に排液管路５２が開口形成されており、この排液管路５２は、便器内底５１側からトラップ部５３側へ向けて内周断面が漸減するテーパ管状に形成されたものである。そして、清掃具１は、その注水パイプ２の先端部４が便器内底５１側から排液管路５２内に挿入されている。
【００４２】
注水パイプ２の先端部４は、排液管路５２の管路方向において到達可能な最奥部まで挿入されており、排液管路５２の管路方向に所定長さ挿入された格好で、注水パイプ２の先端部４の外周縁が排液管路５２の内周面に密着した状態となって、排液管路５２の内周部に密嵌されている。
【００４３】
図３に示すように、小便器５０の排液管路５２は、上記したように内周断面が漸減するテーパ管状に形成されることから、その円形状の内周断面が、便器内底５１側（図３中の円Ｐ（２点鎖線で図示した円）に相当する。）に比べて小便器５０のトラップ部５３側（図３中の円Ｑ（点線で図示した円）に相当する。）の方が小さくなっている。
【００４４】
これに対し、注水パイプ２の先端部４は、その先端部４の外周断面が軸方向（図２上下方向、図３の紙面に対する垂直方向）に一定したものとなっており、その円形状の外周断面（図３中の円ｒ（円Ｒの内周全体に接するように実線で図示された円）に相当する。）が、排液管路５２における便器内底５１側の内周断面（図３中の円Ｐに相当する。）より小さく、かつ、排液管路５２におけるトラップ部５３側の内周断面（図３中の円Ｑに相当する。）より大きくなっている。
【００４５】
そして、この注水パイプ２の先端部４の外周断面は、その全周が排液管路５２における管路方向（図２の上下方向及び図３の紙面に対する垂直方向）中間部の内周断面（図中の円Ｒ（円ｒの外周全体に接するように実線で図示された円）に相当する。）に適合した形状となっている。
【００４６】
このため、注水パイプ２の先端部４の外周縁と排液管路５２の内周面とが全周的に密着した状態となり、注水パイプ２の先端部４が排液管路５２に密嵌された状態となる。そのうえ、このような密嵌状態において、把持ハンドル３を把持した使用者の両手によって注水パイプ２がトラップ部５３側（図２下側）へ向けて押圧されることで、その密嵌状態が更に緊密化される。
【００４７】
次に、図１から図３を参照して、上記した小便器５０清掃具１及び小便器清掃構造１００を用いた小便器５０の清掃方法について説明する。
【００４８】
まず、小便器５０の清掃を行うにあたり、清掃具１と高圧水供給源（図示せず。）との接続が行われる。かかる接続では、把持ハンドル３のハンドル本体部７に対し、ワンタッチ継手１１を介して給水ホース１３が接続され、この給水ホース１３が上水道等の高圧水供給源の給水口に接続される。
【００４９】
一方、注水パイプ２は、その先端部４が便器内底５１側から排液管路５２内へ挿入される。ここで、排液管路５２は、便器内底５１側からトラップ部５３側へ向けて、つまり、注水パイプ２の挿入方向へ向けて内周断面が漸減するテーパ管状なので、排液管路５２の内周面を介して注水パイプ２の先端部４の挿入をガイドすることができる。
【００５０】
なお、本実施例では注水パイプ２の挿入方向又は抜脱方向は、排液管路５２の管路方向に一致したものとなっている。
【００５１】
そして、注水パイプ２の先端部４が排液管路５２の中に所定長さ挿入されると、注水パイプ２の先端部４の外周縁と排液管路５２の内周面とが合致して、注水パイプ２の先端部４が排液管路５２内に密嵌される結果、テーパ管状の排液管路５２の管路方向中間部で引っ掛かる。
【００５２】
このとき、把持ハンドル３のハンドル本体部７は、その横方向両側にある延設部分７ａ，７ａの外周が清掃者の両手で把持される。そして、この把持ハンドル３を介して注水パイプ２を排液管路５２内に押入する押圧力が加えられることで、注水パイプ２の先端部４と排液管路５２との密着度が高められる。
【００５３】
このようにして注水パイプ２の先端部４が排液管路５２内に押入密嵌されると、高圧水供給源から給水ホース１３を介して高圧水の供給が開始される。かかる高圧水の供給にあたっては、ボールバルブ１０が操作レバー１０ａの操作により弁体が開状態とされる。
【００５４】
すると、高圧水が把持ハンドル３のハンドル本体部７内の給水路１４を通じて、注水パイプ２の給水路１４へと供給される。このとき、清掃者にとって、ボールバルブ１０の操作レバー１０ａがハンドル本体部７を把持した手元にあるので、ハンドル本体部７を把持したまま状態で、ボールバルブ１０の開閉操作が容易に行える。
【００５５】
そして、注水パイプ２の注水路６へ供給された高圧水は、注水パイプ２の先端部４から排液管路５２を経てトラップ部５３側へ向けて噴出される。この高圧水の噴出流によって、トラップ部５３又はその先の排水管５４内の汚れやソフトスケール等の詰り物が押し流されて解消される。しかも、注水パイプ２の先端部４はテーパ管状の排液管路５２の管路方向中間部にて密嵌されるので、高圧水が排液管路５２内から便器内底５１へ逆流することが抑制される。
【００５６】
小便器５０の清掃後は、注水パイプ２の先端部４が小便器５０の排液管路５２内から抜脱される。かかる抜脱にあたって、注水パイプ２の先端部４が挿入密嵌されている排液管路５２は、便器内底５１からトラップ部５３へ向けて内周断面が漸減するテーパ管状となっているので、排液管路５２内に挿入密嵌された注水パイプ２の先端部４を手軽に引き抜くことができる。
【００５７】
このように注水パイプ２の先端部４自体が、小便器５０の排液管路５２から便器内底５１への高圧水の逆流を防止する密栓となり、なおかつ、小便器５０の排液管路５２への挿脱が容易かつ迅速に行える結果、公共施設などの小便器５０が多数設置される場所でも、多数の小便器５０の清掃を簡易に行えるのである。
【００５８】
次に、図４及び図５を参照して、上記実施例の変形例について説明する。図４は、第２実施例の清掃具３０を用いた小便器清掃構造３００を示した縦断面図であり、図５は、第３実施例の清掃具４０を用いた小便器清掃構造４００を示した縦断面図である。
【００５９】
第２実施例の清掃具３０及び小便器清掃構造３００は、上記した第１実施例の清掃具１及び小便器清掃構造１００に対し、注水パイプ２の先端部４を拡径する手段を示したものである。以下、第１実施例と同一の部分には同一の符号を付して、その説明を省略し、異なる部分のみを説明する。
【００６０】
図４に示すように、拡径部材３１は、排液管路５２におけるトラップ部５３側の内径が注水パイプ２の先端部４の外径に比べて大口径であって、注水パイプ２の先端部４が排液管路５２の管路方向中間部で密嵌不能な場合に、注水パイプ２の先端部４に外嵌装着されて当該先端部４の外径を拡大するものである。
【００６１】
この拡径部材３１は、注水パイプ２の先端部４が挿入されて嵌合接続される拡径接続部３２と、拡径後の注水パイプ２の新たな先端部４として機能する拡径先端部３３とを備えている。例えば、拡径部材３１は、硬質塩化ビニル等の樹脂製の筒状の継手で形成されており、その拡径先端部３３の外径は、元々の注水パイプ２の先端部４の外径に比べても大きく形成されている。
【００６２】
第３実施例の清掃具４０及び小便器清掃構造４００は、上記した第１実施例の清掃具１及び小便器清掃構造１００に対し、注水パイプ２の先端部４を縮径する手段を示したものである。以下、第１実施例と同一の部分には同一の符号を付して、その説明を省略し、異なる部分のみを説明する。
【００６３】
図５に示すように、縮径部材４１は、排液管路５２におけるトラップ部５３側の内径が注水パイプ２の先端部４の外径に比べて小口径であって、注水パイプ２の先端部４が排液管路５２の管路方向中間部で密嵌不能な場合に、注水パイプ２の先端部４に外嵌装着されて当該先端部４の外径を縮小するものである。
【００６４】
この縮径部材４１は、注水パイプ２の先端部４が挿入されて嵌合接続される縮径接続部４２と、拡径後の注水パイプ２の新たな先端部４として機能する縮径先端部４３とを備えている。例えば、縮径部材４１は、硬質塩化ビニル等の樹脂製の筒状の継手で形成されており、その縮径先端部４３の外径は、元々の注水パイプ２の先端部４の外径に比べても小さく形成されている。
【００６５】
以上、実施例に基づき本発明を説明したが、本発明は上記実施例に何ら限定されるものではなく、本発明の趣旨を逸脱しない範囲内で部品、素材、数値、サイズ、形状などの種々の改良変形が可能であることは容易に推察できるものである。
【００６６】
例えば、本実施例では、注水パイプ２の先端部４（拡径部材３１の拡径先端部３３及び縮径部材４１の縮径先端部４３を含む。以下同じ。）を排液管路５２内に押入密嵌させるように構成されるものであるところ、排液管路５２の内周面と密接する注水パイプ２の先端部４自体、又は、その先端部４の外周縁を、弾性を有する樹脂材料で形成するようにしても良い。
【００６７】
具体的には、本実施例のように注水パイプ２の先端部４が硬質塩化ビニル製であれば、それに内在する弾性特性によって排液管路５２の内周面に適合するように変形可能とすることができる。また、その他にも、注水パイプ２の先端部４における排液管路５２の内周面との接触部分を、より一層弾性の高い弾性ゴム等の弾性材料で形成するようにしても良い。
【００６８】
また、本実施例では、清掃対象となる便器が小便器５０である場合について説明したが、小便器５０を除く他の便器についても、本発明を適用可能である。
【符号の説明】
【００６９】
１，３０，４０          清掃具（便器清掃用具）
２                      注水パイプ
３                      把持ハンドル
４                      注水パイプの先端部
５                      注水パイプの基端部
６                      注水路
７                      ハンドル本体部（ハンドル本体）
７ａ，７ａ              ハンドル本体部の延設部分（ハンドル本体の延設部分）
１０                    ボールバルブ（開閉弁）
１０ａ                  操作レバー（弁操作部）
１１                    ワンタッチ継手（ホース接続部）
１２                    閉塞端部
１３                    給水ホース
１４                    給水路
５０                    小便器（便器）
５１                    便器内底（便器の内底部）
５２                    排液管路
５３                    トラップ部
５４                    排水管
１００，３００，４００  小便器清掃構造（便器清掃構造）
【図１】
0005918583.tif 000002
【図２】
0005918583.tif 000003
【図３】
0005918583.tif 000004
【図４】
0005918583.tif 000005
【図５】
0005918583.tif 000006